(57)【要約】【課題】  浴室内への突出量を少なくして、省スペースで設置できる洗面器置き台を提供する。【解決手段】  浴室壁１などに取り付けられて上面に洗面器を置くことのできる洗面器置き台２は、浴室壁１に取り付けられる複数の基台部３ａ，３ｂ，３ｃと、この複数の基台部３ａ，３ｂ，３ｃ間に交互に面一状に設けられて、基台部３ａ，３ｂ，３ｃに対し水平方向へスライド可能な複数のスライド台部４ａ，４ｂ，４ｃで構成されている。【選択図】        図１
2005095445.tif 000002
【特許請求の範囲】
【請求項１】
浴室の壁や収納パネルなどに取り付けられて上面に洗面器を置くことのできる洗面器置き台であって、該洗面器置き台は、前記浴室の壁や収納パネルに取り付けられる複数の基台部と、該基台部に対し水平方向へスライド可能な複数のスライド台部で構成されていることを特徴とする洗面器置き台。
【請求項２】
前記基台部が、前記浴室の壁や収納パネルに対し上方または下方へ回動可能に取り付けられていることを特徴とする請求項１に記載の洗面器置き台。
【請求項３】
少なくとも前記スライド台部の内部が収納可能な中空状に形成されていることを特徴とする請求項１または請求項２に記載の洗面器置き台。
【発明の詳細な説明】
【技術分野】
【０００１】
本発明は、浴室の壁や収納パネルなどに取り付けられて上面に洗面器を置くことのできる洗面器置き台に関するものである。
【背景技術】
【０００２】
従来、例えば特許文献１に開示されているように、天板の下側に小物を収容することのできる構造の浴室ユニット用テーブルが存在する。
また、従来、浴室の壁面に対し取り外し可能な洗面器置き台などが存在する。
【特許文献１】特開２００２−７８６３４号公報
【発明の開示】
【発明が解決しようとする課題】
【０００３】
従来のような浴室ユニット用テーブルとか洗面器置き台においては、浴室内へ広い面積で突出して、浴室の洗い場空間等が狭まってしまうという問題点があり、また、取り外し式の洗面器置き台にあっては、取り外した後の収納場所に困る等の問題点があった。
【課題を解決するための手段】
【０００４】
本発明は上記従来の問題点に鑑み案出したものであって、浴室の空間を狭めることなく省スペースで設置することのできる洗面器置き台を提供せんとするものであり、請求項１は、浴室の壁や収納パネルなどに取り付けられて上面に洗面器を置くことのできる洗面器置き台であって、該洗面器置き台は、前記浴室の壁や収納パネルに取り付けられる複数の基台部と、該基台部に対し水平方向へスライド可能な複数のスライド台部で構成されていることである。
また、請求項２は、前記基台部が、前記浴室の壁や収納パネルに対し上方または下方へ回動可能に取り付けられていることである。
また、請求項３は、少なくとも前記スライド台部の内部が収納可能な中空状に形成されていることである。
【発明の効果】
【０００５】
本発明の洗面器置き台は、浴室の壁や収納パネルに取り付けられる複数の基台部と、基台部に対し水平方向へスライド可能な複数のスライド台部で構成されていることにより、使用する時には、基台部からスライド台部をスライドさせ、上面の面積を広げることができ、良好に上面に洗面器を置くことができるものとなる。
また、使用しない時には、スライド台部を基台部間に収納状態とさせて、省スペース化を図ることができ、浴室の壁や収納パネルなどにコンパクトに設置することができるものとなる。
【０００６】
また、基台部が、浴室の壁や収納パネルに対し上方または下方へ回動可能に取り付けられていることにより、基台部を、壁や収納パネルに対し、起立状態または垂下状態にして、壁または収納パネル側にコンパクトに収納させることができ、収納状態では浴室内への突出量が極めて少なくなり、浴室内空間を広く有効に利用することができるものとなる。
【０００７】
また、少なくともスライド台部の内部が収納可能な中空状に形成されていることにより、スライド台部内に、小物とか備品等を収納することができ、使用勝手が良好なものとなる。
【実施例】
【０００８】
以下、本発明の実施例を図面に基づいて説明する。
図１は、洗面器置き台の斜視図であり、また、図２は、洗面器置き台の平面構成図である。
【０００９】
洗面器置き台２は、浴室内の洗い場側の浴室壁１に取り付けられており、３本の基台部３ａ，３ｂ，３ｃと、３本のスライド台部４ａ，４ｂ，４ｃで構成されており、基台部３ａ，３ｂ，３ｃに対し、スライド台部４ａ，４ｂ，４ｃを、床面に対し略水平方向にスライド移動させることができるように構成されている。
なお、洗面器置き台２の上面には、排水用に水勾配が形成されている。
【００１０】
基台部３ａ，３ｂ，３ｃ及びスライド台部４ａ，４ｂ，４ｃは、それぞれ四角柱状に形成されており、基台部３ａの外側にスライド台部４ａが配置され、基台部３ａと基台部３ｂ間にスライド台部４ｂが配置され、基台部３ｂと基台部３ｃ間にスライド台部４ｃが、それぞれ交互に設けられたものとなっている。
例えば、３本の基台部３ａ，３ｂ，３ｃは連結軸５で連結されており、この連結軸５が、各スライド台部４ａ，４ｂ，４ｃの側面にａ寸法の横長状に貫通形成された横長孔６内に通されたものとなっている。
【００１１】
図１及び図２は、基台部３ａ，３ｂ，３ｃに対しスライド台部４ａ，４ｂ，４ｃを洗い場側へａ寸法引き出して、上面の面積を拡大させた使用状態を示している。
なお、各スライド台部４ａ，４ｂ，４ｃの先端側に、それぞれ軸７を介し回動可能に支持部８が設けられており、この支持部８を垂下状態にして、各支持部８の下端を洗い場の床面に当接させて使用することで、支持部８，８，８により、洗面器置き台２の上面に置かれる洗面器等の荷重に十分耐える強度が確保されるように構成されている。
【００１２】
なお、使用しない時には、各支持部８，８，８をスライド台部４ａ，４ｂ，４ｃの底側に回動させ、しかも、各スライド台部４ａ，４ｂ，４ｃを浴室壁１側へ押圧して、スライド台部４ａ，４ｂ，４ｃの先端が各基台部３ａ，３ｂ，３ｃの先端と整合する位置にスライド移動させて、収納させることができ、この状態では、洗面器置き台２の面積は縮小して、浴室内への突出量は少なくなり、コンパクトな収納状態が得られるものとなる。
【００１３】
なお、本例では、スライド台部４ａ，４ｂ，４ｃに、それぞれ横長孔６，６，６を形成させたものを例示しているが、逆に、３本のスライド台部４ａ，４ｂ，４ｃを連結軸５で連結して、各基台部３ａ，３ｂ，３ｃに横長孔６，６，６を形成させた構造であっても良い。
【００１４】
なお、基台部３ａ，３ｂ，３ｃの浴室壁１への取付部分に、例えば図３のように、回動軸９ａを上面側に設けておき、この回動軸９ａを介し、洗面器置き台２を上方へ起立させることができるように構成しておけば、洗面器置き台２を浴室壁１に沿って起立させて、突出量の極めて少ない状態でコンパクトに収納しておくことができるものとなる。
【００１５】
なお、図４に示すように、回動軸９ａを基台部３ａ，３ｂ，３ｃの後端下部に設けた構成では、洗面器置き台２を下方側へ回動させて、浴室壁１に沿って垂下状態にしてコンパクトに収納しておくことができるものとなる。
【００１６】
なお、図５及び図６に示すように、例えば、スライド台部４ａ，４ｂ，４ｃの内部をそれぞれ中空状にして、内部に収納空間Ｓを形成させ、内部にシャンプー１２等の備品を収納できるように構成しておくことができる。
なお、図５では、収納空間Ｓの前面に前扉１０が設けられている。
また、図６では、収納空間Ｓの上面に開閉可能に上扉１１が設けられている。
なお、図６のような構造の場合には、収納空間Ｓ内に水が溜まる虞れがあるため、この収納空間Ｓ内に溜まった水を良好に排出するために、収納空間Ｓの底側に、排水溝とか排水穴を形成させておくことが好ましい。
【００１７】
なお、図７に示すように、前扉１０に貫通穴１０ａを形成させておき、シャンプー１２等のノズル部１２ａを、貫通穴１０ａから外側へ貫通させた状態で収納できるように構成しておくこともでき、この図７では、常にノズル部１２ａが外側へ突出しているため、このノズル部１２ａを押圧する等して、容易にシャンプー等を取り出すことができるものとなり、使用勝手がより良好なものとなる。
【００１８】
次に、図８及び図９では変更例を示すものである。
図８及び図９に示す洗面器置き台２は、２本の四角柱状の基台部３ａ，３ｂと、２本のスライド台部４ａ，４ｂで構成されており、基台部３ａ，３ｂに対しスライド台部４ａ，４ｂが交互に面一状に設けられており、基台部３ａの長手方向側面に回動軸９が設けられて、この回動軸９を介し基台部３ａが浴室壁１に回動可能に取り付けられたものとなっている。
なお、基台部３ａと基台部３ｂは連結軸５で連結されており、スライド台部４ａ，４ｂには、それぞれａ寸法の横長状に横長孔６，６が形成されている。
【００１９】
図８は、基台部３ａ，３ｂとスライド台部４ａ，４ｂを整合させた収納状態の平面構成図であり、更に、この収納状態から、回動軸９を介し、洗面器置き台２を上方または下方側へ回動させて、浴室壁１に沿って起立させてコンパクトに収納させることができるものである。
【００２０】
図９は、使用状態の平面構成図であり、２本のスライド台部４ａ，４ｂを右側へスライドさせてａ寸法引き出し、上面の面積を拡大させて、この上に洗面器を良好に置くことができるものである。
【図面の簡単な説明】
【００２１】
【図１】浴室壁に取り付けられた洗面器置き台の使用状態の斜視構成図である。
【図２】図１の平面構成図である。
【図３】洗面器置き台を回動可能に構成した場合の側面構成図である。
【図４】更に下方側へ回動可能に構成した場合の側面構成図である。
【図５】洗面器置き台を構成するスライド台部に収納空間を形成した場合の要部斜視構成図である。
【図６】更に収納空間の上面に扉を設けた場合の要部斜視構成図である。
【図７】収納空間の前扉に貫通穴を形成させておき、ここからシャンプー等のノズルを突出させた状態の要部斜視構成図である。
【図８】浴室壁に対する取付方向を変更させた場合の洗面器置き台の平面構成図である。
【図９】図８の洗面器置き台の面積を広げた使用状態の平面構成図である。
【符号の説明】
【００２２】
１  浴室壁
２  洗面器置き台
３ａ，３ｂ，３ｃ  基台部
４ａ，４ｂ，４ｃ  スライド台部
５  連結軸
６  横長孔
７  軸
８  支持部
９，９ａ，９ｂ  回動軸
１０  前扉
１０ａ  貫通穴
１１  上扉
１２  シャンプー
Ｓ  収納空間
【図１】
2005095445.tif 000003
【図２】
2005095445.tif 000004
【図３】
2005095445.tif 000005
【図４】
2005095445.tif 000006
【図５】
2005095445.tif 000007
【図６】
2005095445.tif 000008
【図７】
2005095445.tif 000009
【図８】
2005095445.tif 000010
【図９】
2005095445.tif 000011